(57)【要約】      （修正有）【課題】部屋の窓の上辺側にむき出しになっているカーテンレールを覆うカーテンレールボックスを、主婦などの女性でも簡単容易に組み立てて取り付けることのできる簡易組立式カーテンレールボックスを提供する。【解決手段】カーテンレールを覆うカーテンレールボックスを３つに分割された左側ボックス２、中央ボックス３及び右側ボックス４から構成し、各ボックス２〜４を平面板状の部材から構成すると共に各部の境界に立体型に折り曲げ容易な直線状の折り目線２１ａ，２１ｂ，・・・をそれぞれ形成し、左右のボックス２，４との間に中央ボックス３の両側をスライド自在に収納してカーテンレールボックスの長さを調整自在にすると共に、カーテンレールの支持桁上に各ボックス２〜４を固定する固定具を挿通する透孔２１ｃ，３１ｂ，４１ｃをそれぞれ形成した。【選択図】図１
0003145072.tif 000002
【実用新案登録請求の範囲】
【請求項１】
カーテンレールを覆うカーテンレールボックスを３つに分割された左側ボックス、中央ボックス及び右側ボックスから構成し、
前記左側ボックスを平面板状の部材から構成すると共に、左側ボックスを立体型に折り曲げたときに、左側ボックスの上面部分を構成する表面板を平面板状の中央に横長に配置し、左側ボックスの左端側面部分を構成する左端側面を上記表面板の左端側に配置し、左側ボックスの前面部分を構成する前面を上記表面板の前部側に配置し、該前面の下端から内部側に折り曲げられて前部スライド溝を形成する前部スライド溝片を上記前面の前端側に設け、左側ボックスの後端から内部側に折り曲げられて後部スライド溝を形成する後部スライド溝片を上記表面板の後端側に設け、各部の境界に立体型に折り曲げ容易な直線状の折り目線をそれぞれ形成し、
前記中央ボックスを平面板状の部材から構成すると共に、中央ボックスを立体型に折り曲げたときに、中央ボックスの上面部分を構成する内面板を平面板状の中央に横長に配置し、中央ボックスの前面部分を構成する前面を上記内面板の前部側に配置し、内面板と前面との境界に立体型に折り曲げ容易な直線状の折り目線を形成し、
前記右側ボックスを平面板状の部材から構成すると共に、右側ボックスを立体型に折り曲げたときに、右側ボックスの上面部分を構成する表面板を平面板状の中央に横長に配置し、右側ボックスの右端側面部分を構成する右端側面を上記表面板の右端側に配置し、右側ボックスの前面部分を構成する前面を上記表面板の前部側に配置し、該前面の下端から内部側に折り曲げられて前部スライド溝を形成する前部スライド溝片を上記前面の前端側に設け、右側ボックスの後端から内部側に折り曲げられて後部スライド溝を形成する後部スライド溝片を上記表面板の後端側に設け、各部の境界に立体型に折り曲げ容易な直線状の折り目線をそれぞれ形成し、
前記左側ボックスと前記右側ボックスとの間に前記中央ボックスの両側をスライド自在に収納してカーテンレールボックスの長さを調整自在にすると共に、カーテンレールの支持桁上に前記左側ボックス、前記中央ボックス及び前記右側ボックスを固定する固定具を挿通する透孔をそれぞれ形成したことを特徴とする簡易組立式カーテンレールボックス。
【請求項２】
左側ボックスの左端側面及び右側ボックスの右端側面の各前面寄りの一部には折り曲げ時に前面の内側に折り曲げられて挿入される前部折曲挿入片がそれぞれ設けられ、上記左端側面及び上記右端側面と各上記前部折曲挿入片との境界には立体型に折り曲げ容易な直線状の折り目線が形成され、
左側ボックスの左端側面及び右側ボックスの右端側面の各後部スライド溝片寄りの一部には折り曲げ時に後部スライド溝の外側に折り曲げられて当接される後部折曲当接片がそれぞれ設けられ、上記左端側面及び上記右端側面と各上記後部折曲当接片との境界には立体型に折り曲げ容易な直線状の折り目線が形成されている請求項１記載の簡易組立式カーテンレールボックス。
【考案の詳細な説明】
【技術分野】
【０００１】
この考案は、部屋の窓の上辺側にむき出しになっているカーテンレールを覆うカーテンレールボックスに係り、特に、主婦などの女性でも簡単容易に組み立てて取り付けることができる簡易組立式カーテンレールボックスに関するものである。
【背景技術】
【０００２】
部屋の窓には、直射日光を遮ったり或いは家の外から室内が見えないようにするために、一般にカーテンが取り付けられる。このカーテンを取り付けるために、窓の上辺に近い壁などにはカーテンレールが取り付けられている。カーテンレールが窓の上辺側にむき出しになっている場合には、殺風景な印象を与えて室内の装飾効果を下げることもあり、このため、カーテンレールボックスが取り付けられることがある。
【特許文献１】特開２００８−０３６０１５
【特許文献２】特開２００３−０３８３３８
【特許文献２】特開２００１−２０４６１６
【考案の開示】
【考案が解決しようとする課題】
【０００３】
しかしながら、通常は木製のカーテンレールボックスを後から取り付けようとすると、そのための工事に少なからず費用がかかり、また、主婦などの女性では手軽に取り付けることが困難であった。
【０００４】
この考案は、上記のような課題に鑑み、その課題を解決すべく創案されたものであって、その目的とするところは、部屋の窓の上辺側にむき出しになっているカーテンレールを覆うカーテンレールボックスを、主婦などの女性でも簡単容易に組み立てて取り付けることのできる簡易組立式カーテンレールボックスを提供することにある。
【課題を解決するための手段】
【０００５】
以上の課題を解決するために請求項１の考案は、カーテンレールを覆うカーテンレールボックスを３つに分割された左側ボックス、中央ボックス及び右側ボックスから構成し、
前記左側ボックスを平面板状の部材から構成すると共に、左側ボックスを立体型に折り曲げたときに、左側ボックスの上面部分を構成する表面板を平面板状の中央に横長に配置し、左側ボックスの左端側面部分を構成する左端側面を上記表面板の左端側に配置し、左側ボックスの前面部分を構成する前面を上記表面板の前部側に配置し、該前面の下端から内部側に折り曲げられて前部スライド溝を形成する前部スライド溝片を上記前面の前端側に設け、左側ボックスの後端から内部側に折り曲げられて後部スライド溝を形成する後部スライド溝片を上記表面板の後端側に設け、各部の境界に立体型に折り曲げ容易な直線状の折り目線をそれぞれ形成し、
前記中央ボックスを平面板状の部材から構成すると共に、中央ボックスを立体型に折り曲げたときに、中央ボックスの上面部分を構成する内面板を平面板状の中央に横長に配置し、中央ボックスの前面部分を構成する前面を上記内面板の前部側に配置し、内面板と前面との境界に立体型に折り曲げ容易な直線状の折り目線を形成し、
前記右側ボックスを平面板状の部材から構成すると共に、右側ボックスを立体型に折り曲げたときに、右側ボックスの上面部分を構成する表面板を平面板状の中央に横長に配置し、右側ボックスの右端側面部分を構成する右端側面を上記表面板の右端側に配置し、右側ボックスの前面部分を構成する前面を上記表面板の前部側に配置し、該前面の下端から内部側に折り曲げられて前部スライド溝を形成する前部スライド溝片を上記前面の前端側に設け、右側ボックスの後端から内部側に折り曲げられて後部スライド溝を形成する後部スライド溝片を上記表面板の後端側に設け、各部の境界に立体型に折り曲げ容易な直線状の折り目線をそれぞれ形成し、
前記左側ボックスと前記右側ボックスとの間に前記中央ボックスの両側をスライド自在に収納してカーテンレールボックスの長さを調整自在にすると共に、カーテンレールの支持桁上に前記左側ボックス、前記中央ボックス及び前記右側ボックスを固定する固定具を挿通する透孔をそれぞれ形成した手段よりなるものである。
【０００６】
また、請求項１の好ましい態様として、左側ボックスの左端側面及び右側ボックスの右端側面の各前面寄りの一部には折り曲げ時に前面の内側に折り曲げられて挿入される前部折曲挿入片がそれぞれ設けられ、上記左端側面及び上記右端側面と各上記前部折曲挿入片との境界には立体型に折り曲げ容易な直線状の折り目線が形成され、
左側ボックスの左端側面及び右側ボックスの右端側面の各後部スライド溝片寄りの一部には折り曲げ時に後部スライド溝の外側に折り曲げられて当接される後部折曲当接片がそれぞれ設けられ、上記左端側面及び上記右端側面と各上記後部折曲当接片との境界には立体型に折り曲げ容易な直線状の折り目線が形成されている。
【考案の効果】
【０００７】
以上の課題を解決するための手段を備えたこの考案に係る簡易組立式カーテンレールボックスによれば、部屋のむき出しになっているカーテンレールを隠す簡易組立式カーテンレールボックスを、自宅で簡単に組み立てて取り付けることができる。しかも、平面板状になっている部材の表面に形成されている立体型に折り曲げ容易な直線状の折り目線に沿って部材を折り曲げることによって、女性でも簡単にカーテンレールボックスを組み立てることができる。加えて、簡易組立式カーテンレールボックスは、組み立て前は平面板状になっているので、組み立て用の部材は厚みがなくて嵩張ることがなく、その部材の持ち運びなどの取り扱いがその分容易になる。
【０００８】
また、請求項２の場合には、左端側面の前部折曲挿入片を前面の左端側の内側に挿入して固定し、また左端側面の後部折曲当接片を後部スライド溝の左端側の外側に当接して固定することで、左側ボックスの立体型の形状を強固に維持することができる。同様に、右端側面の前部折曲挿入片を前面の右端側の内側に挿入して固定し、また右端側面の後部折曲当接片を後部スライド溝の右端側の外側に当接して固定することで、右側ボックスの立体型の形状を強固に維持することができる。
【考案を実施するための最良の形態】
【０００９】
以下、図面に記載の考案を実施するための最良の形態に基づいて、この考案をより具体的に説明する。
ここで、図１（Ａ）は成形前の左側ボックスの平面図、同図（Ｂ）は成形前の中央ボックスの平面図、同図（Ｃ）は成形前の右側ボックスの平面図、図２（Ａ）は簡易組立式カーテンレールボックスの組み立て時の平面図、同図（Ｂ）は簡易組立式カーテンレールボックスの組み立て時の正面図、図３（Ａ）は簡易組立式カーテンレールボックスの組み立て時の斜視図、同図（Ｂ）は簡易組立式カーテンレールボックスの組み立て時の部分斜視図、図４はカーテンレールに簡易組立式カーテンレールボックスを取り付けた時の斜視図である。
【００１０】
図において、簡易組立式カーテンレールボックス１は、カーテンａを取り付けるために室内の窓の上辺などにむき出しに設けられているカーテンレールｂを隠すために使用するもので、購入者が自宅などにおいて、平面板状の部材を立体型に折り曲げ容易な直線状の折り目線に沿って折り曲げて、厚みのある立体型に簡単容易に成形される構造になっている。簡易組立式カーテンレールボックス１の平面板状の部材としては例えばポリプロピレンなどのプラスチック製板材が使用される。また、ボックス１の表面の色としては、例えば白、茶、ベージュなどの各種の色が使用される。
【００１１】
簡易組立式カーテンレールボックス１は、左側ボックス２、中央ボックス３、右側ボックス４の三分割されたボックスから構成される。簡易組立式カーテンレールボックス１は、カーテンレールｂの長さに対応して伸縮できるように、中央ボックス３を挟んでその左側に左側ボックス２が、叉その右側に右側ボックス４がそれぞれスライド自在に取り付けられている。
【００１２】
前記したように購入者が自宅などにおいて、平面板状の部材を折り目線に沿って折り曲げて厚みのある立体型に簡単容易に成形できるように、簡易組立式カーテンレールボックス１を構成する平面板状からなる左側ボックス２、中央ボックス３及び右側ボックス４の各表面には、立体型に折り曲げ容易な直線状の折り目線がそれぞれ形成されている。この折り目線に沿って簡単に平面板状の部材を折り曲げることができる。
【００１３】
左側ボックス２は、図１（Ａ）に示すように、折り曲げ前の平面板状に展開された状態で、中央に横長の表面板２１、その左端側に左端側面２２、表面板２１の前部側（図１（Ａ）では下側）に前面２３、表面板２１の後部側（図１（Ａ）では上側）に後部スライド溝片２４がそれぞれ配置されている。平面板状に展開された状態の左側ボックス２は、左端側面２２が配置される左端側の両角部分が一部切り欠かれた略長方形状の形状から形成されている。また、各部の境界には立体型に折り曲げ容易な直線状の折り目線２１ａ、２１ｂがそれぞれ形成されている。
【００１４】
表面板２１は、左側ボックス２を立体型に折り曲げたときに、左側ボックス２の上面部分を構成する。表面板２１はカーテンレールｂが上面側から見えないように隠す。表面板２１の後端側には、左側ボックス２をカーテンレールｂの支持桁ｃの上側に固定するために使用される固定具ｄを通す透孔２１ｃが適宜間隔で複数形成されている。
【００１５】
左端側面２２は、左側ボックス２を立体型に折り曲げたときに、左側ボックス２の左端側面部分を構成する。左端側面２２はカーテンレールｂが左側面側から見えないように隠す。表面板２１と左端側面２２との境界線に沿って立体型に折り曲げ容易な直線状の折り目線２１ａが形成されている。図１（Ａ）では縦向きに形成されている。
【００１６】
左端側面２２の前面２３寄りの一部（図１（Ａ）では下側）には折り曲げ時に前面２３の内側に折り曲げられて挿入される前部折曲挿入片２２ａが設けられ、この左端側面２２と前部折曲挿入片２２ａとの境界には立体型に折り曲げ容易な直線状の折り目線２２ｂが形成されている。図１（Ａ）では横方向に形成されている。前部折曲挿入片２２ａの右端と前面２３の左端の一部との境界部分は切断されている。
【００１７】
また、左端側面２２の後部スライド溝片２４寄りの一部（図１（Ａ）では上側）には折り曲げ時に後部スライド溝２４ａの外側に折り曲げられて当接される後部折曲当接片２２ｃが設けられ、この左端側面２２と後部折曲当接片２２ｃとの境界には立体型に折り曲げ容易な直線状の折り目線２２ｄが形成されている。図１（Ａ）では横方向に形成されている。後部折曲当接片２２ｃの右端と後部スライド溝片２４の左端との境界部分は切断されている。
【００１８】
前面２３は、左側ボックス２を立体型に折り曲げたときに、左側ボックス２の前面部分を構成する。前面２３はカーテンレールｂが前面側から見えないように隠す。表面板２１と前面２３との境界線に沿って立体型に折り曲げ容易な直線状の折り目線２１ｂが形成されている。図１（Ａ）では横向きに形成されている。また前面２３の前端側（図１（Ａ）では下側）には折り曲げ時に前面２３の下端から内部側に折り曲げられて前部スライド溝２３ａを形成する前部スライド溝片２３ｂが設けられている。
【００１９】
前部スライド溝２３ａは前記の中央ボックス３の前面の左側下端をスライドさせる際に案内路となる。前部スライド溝２３ａを構成する前部スライド溝片２３ｂには、前面２３との境界には中央ボックス３の板厚に相当する隙間をあけて立体型に折り曲げ容易な直線状の折り目線２３ｃ、２３ｄが平行に形成されている。図１（Ａ）では横方向にそれぞれ形成されている。
【００２０】
後部スライド溝片２４は表面板２１の後端側（図１（Ａ）では上側）に設けられており、折り曲げ時に表面板２１の後端から内部側に折り曲げられて後部スライド溝２４ａを形成する。後部スライド溝２４ａは前記の中央ボックス３の左側後端をスライドさせる際に案内路となる。後部スライド溝２４ａを構成する後部スライド溝片２４には、表面板２１との境界に中央ボックス３の板厚に相当する隙間をあけて立体型に折り曲げ容易な直線状の折り目線２４ｂ、２４ｃが平行に形成されている。図１（Ａ）では横方向にそれぞれ形成されている。
【００２１】
中央ボックス３は前記したように、その左右側は左側ボックス２及び右側ボックス４の内部側にそれぞれ収納された状態で組み込まれる。中央ボックス３は簡易組立式カーテンレールボックス１の長さを調整するために利用される。
【００２２】
中央ボックス３は、図１（Ｂ）に示すように、折り曲げ前の平面板状に展開された状態で、平面板状の中央に横長の内面板３１、内面板３１の前部側（図１（Ｂ）では下側）に前面３２がそれぞれ配置されている。平面板状に展開された状態の中央ボックス３は長方形の形状から形成されている。また、境界には立体型に折り曲げ容易な直線状の折り目線３１ａが形成されている。
【００２３】
内面板３１は、中央ボックス３を立体型のＬ字型に折り曲げたときに、中央ボックス３の上面部分を構成する。内面板３１はカーテンレールｂが上面側から見えないように隠す。内面板３１の後端側には、中央ボックス３をカーテンレールｂの支持桁ｃの上側に固定するために使用される固定具ｄを通す透孔３１ｂが複数形成されている。
【００２４】
前面３２は、中央ボックス３を立体型のＬ字型に折り曲げたときに、中央ボックス３の前面部分を構成する。前面３２はカーテンレールｂが前面側から見えないように隠す。内面板３１と前面３３との境界線に沿って立体型に折り曲げ容易な直線状の折り目線３１ａが形成されている。図１（Ｂ）では横向きに形成されている。
【００２５】
右側ボックス４は、図１（Ｃ）に示すように、折り曲げ前の平面板状に展開された状態で、中央に横長の表面板４１、その右端側に右端側面４２、表面板４１の前部側（図１（Ｃ）では下側）に前面４３、表面板４１の後端側（図１（Ｃ）では上側）に後部スライド溝片４４がそれぞれ配置されている。平面板状に展開された状態の右側ボックス４は、右端側面４２が配置される右端側の両角部分が一部切り欠かれた略長方形状の形状から形成されている。また、各部の境界には立体型に折り曲げ容易な直線状の折り目線４１ａ、４１ｂがそれぞれ形成されている。右側ボックス４は前記の左側ボックス２と左右対称形になっている。
【００２６】
表面板４１は、右側ボックス４を立体型に折り曲げたときに、右側ボックス４の上面部分を構成する。表面板４１はカーテンレールｂが上面側から見えないように隠す。表面板４１の後端側には、右側ボックス４をカーテンレールｂの支持桁ｃの上側に固定するために使用される固定具ｄを通す透孔４１ｃが適宜間隔で複数形成されている。
【００２７】
右端側面４２は、右側ボックス４を立体型に折り曲げたときに、右側ボックス４の右端側面部分を構成する。右端側面４２はカーテンレールｂが右側面側から見えないように隠す。表面板４１と右端側面４２との境界線に沿って立体型に折り曲げ容易な直線状の折り目線４１ａが形成されている。図１（Ｃ）では縦向きに形成されている。
【００２８】
右端側面４２の前面４３寄りの一部（図１（Ｃ）では下側）には折り曲げ時に前面４３の内側に折り曲げられて挿入される前部折曲挿入片４２ａが設けられ、この右端側面４２と前部折曲挿入片４２ａとの境界には立体型に折り曲げ容易な直線状の折り目線４２ｂが形成されている。図１（Ｃ）では横方向に形成されている。前部折曲挿入片４２ａの左端と前面４３の右端の一部との境界部分は切断されている。
【００２９】
また、右端側面４２の後部スライド溝片４４寄りの一部（図１（Ｃ）では上側）には折り曲げ時に後部スライド溝４４ａの外側に折り曲げられて当接される後部折曲当接片４２ｃが設けられ、この右端側面４２と後部折曲当接片４２ｃとの境界には立体型に折り曲げ容易な直線状の折り目線４２ｄが形成されている。図１（Ｃ）では横方向に形成されている。後部折曲当接片４２ｃの左端と後部スライド溝片４４の右端との境界部分は切断されている。
【００３０】
前面４３は、右側ボックス４を立体型に折り曲げたときに、右側ボックス４の前面部分を構成する。前面４３はカーテンレールｂが前面側から見えないように隠す。表面板４１と前面４３との境界線に沿って立体型に折り曲げ容易な直線状の折り目線４１ｂが形成されている。図１（Ｃ）では横向きに形成されている。また前面４３の前端側（図１（Ｃ）では下側）には折り曲げ時に前面４３の下端から内部側に折り曲げられて前部スライド溝４３ａを形成する前部スライド溝片４３ｂが設けられている。
【００３１】
前部スライド溝４３ａは前記の中央ボックス３の前面の右側下端をスライドさせる際に案内路となる。前部スライド溝４３ａを構成する前部スライド溝片４３ｂには、前面４３との境界には中央ボックス３の板厚に相当する隙間をあけて立体型に折り曲げ容易な直線状の折り目線４３ｃ、４３ｄが平行に形成されている。図１（Ｃ）では横方向にそれぞれ形成されている。
【００３２】
後部スライド片４４は表面板４１の後端側（図１（Ｃ）では上側）に設けられており、折り曲げ時に表面板４１の後端から内部側に折り曲げられて後部スライド溝４４ａを形成する。後部スライド溝４４ａは前記の中央ボックス３の右側後端をスライドさせる際に案内路となる。後部スライド溝４４ａを構成する後部スライド溝片４４には、表面板４１との境界に中央ボックス３の板厚に相当する隙間をあけて立体型に折り曲げ容易な直線状の折り目線４４ｂ、４４ｃが平行に形成されている。図１（Ｃ）では横方向にそれぞれ形成されている。
【００３３】
次に、上記考案を実施するための最良の形態の構成に基づく簡易組立式カーテンレールボックスの組み立て及びその取り付け方法について以下説明する。
平面板状に展開された状態で例えば段ボール箱などに収容されている左側ボックス２、中央ボックス３及び右側ボックス４を取り出す。各ボックスの長さは例えば１ｍ前後で叉軽量であるため、主婦でも簡単に取り出すことができる。
【００３４】
例えば左側ボックス２を成形する場合には、左側ボックス２を裏返しの状態にした後、つまり、取り付け時に内面側となる面を上向きにした後、各折り目線に沿って上向きに折り曲げて折り目を造り折り曲げ易くする。その後、本格的に各折り目線に沿って折り曲げてボックス型に成形する。なお、この作業を省略して次の作業から始めてもよい。
【００３５】
即ち、左端側面２２を折り目線２１ａに沿って上向きに垂直に折り曲げて立ち上げる。立ち上がった左端側面２２の前部側に位置する前部折曲挿入片２２ａを折り目線２２ｂに沿って内側に向けて直角に折り曲げる。前面２３を折り目線２１ｂに沿って上向きに垂直に折り曲げて立ち上げ、前面２３の左端を前部折曲挿入片２２ａに当接し、図示しない例えば止めネジ、接着剤、両面テープなどを利用して固着する。裏返しの状態で前面２３の上側に位置している前部スライド溝片２３ｂを折り目線２３ｃ、２３ｄに沿って内側に向けてそれぞれ直角に折り曲げて前部スライド溝２３ａを形成する。
【００３６】
後部スライド溝片２４を折り目線２４ｂに沿って上向きに垂直に折り曲げて立ち上げ、さらにその上部側を折り目線２４ｃに沿って内側に向けて直角に折り曲げて後部スライド溝２４ａを形成する。左端側面２２の後部側に位置する後部折曲当接片２２ｃを折り目線２２ｄに沿って内側に向けて直角に折り曲げて、後部スライド溝２４ａの左端に当接し、図示しない例えば止めネジ、接着剤、両面テープなどを利用して固着する。このような簡単な作業により左側ボックス２はボックス型に成形される。
【００３７】
同様に右側ボックス４を成形する場合には、右側ボックス４を裏返しの状態にした後、つまり、取り付け時に内面側となる面を上向きにした後、各折り目線に沿って上向きに折り曲げて折り目を造り折り曲げ易くする。その後、本格的に各折り目線に沿って折り曲げてボックス型に成形する。なお、この作業を省略して次の作業から始めてもよい。
【００３８】
即ち、右端側面４２を折り目線４１ａに沿って上向きに垂直に折り曲げて立ち上げる。立ち上がった右端側面４２の前部側に位置する前部折曲挿入片４２ａを折り目線４２ｂに沿って内側に向けて直角に折り曲げる。前面４３を折り目線４１ｂに沿って上向きに垂直に折り曲げて立ち上げ、前面４３の右端を前部折曲挿入片４２ａに当接し、図示しない例えば止めネジ、接着剤、両面テープなどを利用して固着する。裏返しの状態で前面４３の上側に位置している前部スライド溝片４３ｂを折り目線４３ｃ、４３ｄに沿って内側に向けてそれぞれ直角に折り曲げて前部スライド溝４３ａを形成する。
【００３９】
後部スライド溝片４４を折り目線４４ｂに沿って上向きに垂直に折り曲げて立ち上げ、さらにその上部側を折り目線４４ｃに沿って内側に向けて直角に折り曲げて後部スライド溝４４ａを形成する。右端側面４２の後部側に位置する後部折曲当接片４２ｃを折り目線４２ｄに沿って内側に向けて直角に折り曲げて、後部スライド溝４４ａの右端に当接し、図示しない例えば止めネジ、接着剤、両面テープなどを利用して固着する。このような簡単な作業により右側ボックス４はボックス型に成形される。
【００４０】
同様に中央ボックス３を成形する場合には、中央ボックス３を裏返しの状態にした後、つまり、取り付け時に内面側となる面を上向きにした後、前面３２を折り目線３１ａに沿って上向きに垂直に折り曲げて立ち上げる。このような簡単な作業により中央ボックス３はＬ字型に成形される。
【００４１】
左側ボックス２、中央ボックス３、右側ボックス４の各成形作業が終了した後、左側ボックス２と右側ボックス４との間に中央ボックス３の左右両側をそれぞれ挿入して、一体化された簡易組立式カーテンレールボックス１を組み立てる。即ち、中央ボックス３の内面板３１の左端側を左側ボックス２の表面板２１の右端側からその内側に、前面３２の左端側を前部スライド溝２３ａの右端側からその内側に、叉内面板３１の後端側の左端側を後部スライド溝２４ａの右端側からその内側に、それぞれ挿入する。同様に、中央ボックス３の内面板３１の右端側を右側ボックス４の表面板４１の左端側からその内側に、前面３２の右端側を前部スライド溝４３ａの左端側からその内側に、叉内面板３１の後端側の右端側を後部スライド溝４４ａの左端側からその内側に、それぞれ挿入する。
【００４２】
組み立てた簡易組立式カーテンレールボックス１を、室内の窓の上辺側に取り付けられたカーテンレールｂの上側に被せて、左側ボックス２の表面板２１、中央ボックス３の内面板３１及び右側ボックス４の表面板４１の後端側にそれぞれ形成された透孔２１ｃ、３１ｂ、４１ｃに挿通した紐状の細長いバンドなどの固定具ｄを用いてカーテンレールｂの支持桁ｃ上に固定する。このようにして、簡易組立式カーテンレールボックス１のカーテンレールｂへの取り付け作業は終了する。
【００４３】
また、簡易組立式カーテンレールボックス１の表面を好みの色や柄、或いはカーテンａと同じ色や柄にしたい場合には、色や柄の付いたカバー布を例えば両面テープを用いてボックス１の表面に貼り付ける。何回も好みの色や柄に取り替えることができる。
【００４４】
なお、この考案は上記考案を実施するための最良の形態に限定されるものではなく、この考案の精神を逸脱しない範囲で種々の改変をなし得ることは勿論である。
【図面の簡単な説明】
【００４５】
【図１】（Ａ）はこの考案を実施するための最良の形態を示す成形前の左側ボックスの平面図である。  （Ｂ）はこの考案を実施するための最良の形態を示す成形前の中央ボックスの平面図である。  （Ｃ）はこの考案を実施するための最良の形態を示す成形前の右側ボックスの平面図である。
【図２】（Ａ）はこの考案を実施するための最良の形態を示す簡易組立式カーテンレールボックスの組み立て時の平面図である。  （Ｂ）はこの考案を実施するための最良の形態を示す簡易組立式カーテンレールボックスの組み立て時の正面図である。
【図３】（Ａ）はこの考案を実施するための最良の形態を示す簡易組立式カーテンレールボックスの組み立て時の斜視図である。  （Ｂ）はこの考案を実施するための最良の形態を示す簡易組立式カーテンレールボックスの組み立て時の部分斜視図である。
【図４】この考案を実施するための最良の形態を示すカーテンレールに簡易組立式カーテンレールボックスを取り付けた時の斜視図である。
【図５】支持桁で支持されるカーテンレールの斜視図である。
【符号の説明】
【００４６】
１    簡易組立式カーテンレールボックス
２    左側ボックス
２１    表面板
２１ａ  折り目線
２１ｂ  折り目線
２１ｃ  透孔
２２    左端側面
２２ａ  前部折曲挿入片
２２ｂ  折り目線
２２ｃ  後部折曲当接片
２２ｄ  折り目線
２３    前面
２３ａ  前部スライド溝
２３ｂ  前部スライド溝片
２３ｃ  折り目線
２３ｄ  折り目線
２４    後部スライド溝片
２４ａ  後部スライド溝
２４ｂ  折り目線
２４ｃ  折り目線
３    中央ボックス
３１    内面板
３１ａ  折り目線
３１ｂ  透孔
３２    前面
４    右側ボックス
４１    表面板
４１ａ  折り目線
４１ｂ  折り目線
４１ｃ  透孔
４２    右端側面
４２ａ  前部折曲挿入片
４２ｂ  折り目線
４２ｃ  後部折曲当接片
４２ｄ  折り目線
４３    前面
４３ａ  前部スライド溝
４３ｂ  前部スライド溝片
４３ｃ  折り目線
４３ｄ  折り目線
４４    後部スライド溝片
４４ａ  後部スライド溝
４４ｂ  折り目線
４４ｃ  折り目線
ａ    カーテン
ｂ    カーテンレール
ｃ    支持桁
ｄ    固定具
【図１】
0003145072.tif 000003
【図２】
0003145072.tif 000004
【図３】
0003145072.tif 000005
【図４】
0003145072.tif 000006
【図５】
0003145072.tif 000007